(57)【要約】      （修正有）【課題】パソコン上においてウェブカメラのレンズ調整が容易であり、且つ設置が安定し、使用しない際にもカメラが場所をとらないウェブカメラホルダの構造を提供する。【解決手段】全体がＵ字型を呈したホルダ１において、挟持部１０並びに該Ｕ字型の両端に枢軸部１１を設け、ウェブカメラ２の外殻２０の左右面側にて対称を成す第一孔２２内に枢軸部１１を設置し、更に外殻２０には該第一孔２２上より延伸するガイド溝２６の相通する第二孔２７を設け、ホルダ１の枢軸部１１が金属線の弾力により第一孔２２から外れると、ガイド溝２６に沿って第二孔２７に移動し、逆に該ホルダ１が第二孔２７を外れると、ガイド溝２６に沿って第一孔２２に移動するようにする。【選択図】図２
0003113453.tif 000002
【実用新案登録請求の範囲】
【請求項１】
ウェブカメラの外殻に取り付けて使用されるものであり、且つ、挟持部と枢軸部とより構成される略Ｕ字型を呈したホルダにおいて、
前記挟持部は、該ホルダの左右両側にて対象に設けられ、幅がパソコンのパネルの厚さに合わせられたもので、該パネルの縁を挟持し、
前記枢軸部は、前記略Ｕ字型を呈するホルダの二つの末端上に左右対称で設けられ、ウェブカメラの外殻左右面上に対称に設置される第一孔内にて挟持し、ホルダがウェブカメラを枢軸部で支持し、
前記ホルダが枢軸部により前記ウェブカメラの外殻上に設置されて一体となり、挟持部によりパソコンのパネル上に挟持され、ウェブカメラが使用できる状態にし、前記枢軸部でウェブカメラのレンズの角度を調整することを特徴とするウェブカメラホルダの構造。
【請求項２】
前記ホルダは金属線を湾曲させてなることを特徴とする請求項１記載のウェブカメラホルダの構造。
【請求項３】
前記略Ｕ字型のホルダの底辺上には適当な厚さのカバー層が設けられることを特徴とする請求項１或いは請求項２記載のウェブカメラホルダの構造。
【請求項４】
前記カバー層はプラスティック或いはラバーによるものとし、且つ射出成型方式により、前記ホルダと結合して一体となっていることを特徴とする請求項３記載のウェブカメラホルダの構造。
【請求項５】
前記カバー層の断面は半円柱型を呈していることを特徴とする請求項３記載のウェブカメラホルダの構造。
【請求項６】
前記略Ｕ字型を呈するホルダにおける枢軸部の金属線末端には、適当な厚さのカバー層を設けることを特徴とする請求項１或いは請求項２記載のウェブカメラホルダの構造。
【請求項７】
前記カバー層はプラスティック或いはラバーによるものとし、且つ射出成型方式により該ホルダと結合して一体となっていることを特徴とする請求項６記載のウェブカメラホルダの構造。
【請求項８】
前記第一孔は該ウェブカメラの外殻左右面の底面付近にて対称を成して設置されることを特徴とする請求項１記載のウェブカメラホルダの構造。
【請求項９】
前記ウェブカメラの外殻左右面上には、第一孔より上方に延伸するガイド溝を設け、該ガイド溝が上方の第二孔に連結するようにし、該枢軸部を該第一或いは第二孔から外すと、該ガイド溝に沿って該第二或いは第一まで移動することを特徴とする請求項１或いは請求項８記載のウェブカメラホルダの構造。
【請求項１０】
前記ウェブカメラの外殻左右面上には第一孔と、並びに該ガイド溝と第二孔が設置される一対の切れ込みとを設け、該Ｕ字型のホルダの左右両側を回転させた後、該切れ込み内に貼設されるよう、該切れ込みの外形は該略Ｕ字型のホルダ左右両側の形状に対応させ、
前記略Ｕ字型のホルダの底面が該外殻の底面上に貼設され、該ウェブカメラが収納された状態となることを特徴とする請求項９記載のウェブカメラホルダの構造。
【考案の詳細な説明】
【技術分野】
【０００１】
本考案は、ウェブカメラホルダの構造に係り、特にウェブカメラの外殻上に取り付けられ、ウェブカメラをパソコンのパネル上にて容易に挟持する機能、及びレンズの角度調整を行う機能を有するウェブカメラホルダの構造に係わる。
【背景技術】
【０００２】
インターネットは技術が進むにつれ、ウェブカメラの需要も増えてきており、一般ではパソコンのモニタやＬＣＤパネル上に直接置き、レンズの角度を使用者の方向に調整して使用される。
【特許文献１】特開２０００−２５３２９７号公報
【考案の開示】
【考案が解決しようとする課題】
【０００３】
しかし、上述のようなパネルは薄く、例えばノートブック型のもので言えば８mm〜１４mmと益々薄型化が進み、またレンズの角度を調整しなければならないことから、ウェブカメラを安定して設置するのが難しい。また、ノートブック型パソコンはそのコンパクトさから持ち運んで使用されるが、その際にカメラを共に運ぶことでカメラが場所を占有してしまう。
そこで、本考案は、パソコン上においてウェブカメラのレンズ調整が容易であり、且つ設置が安定し、使用しない際にもカメラが場所をとらず、携帯や使用、収納に便利なウェブカメラのホルダの構造を提供する。
【課題を解決するための手段】
【０００４】
前記の課題を解決するために、請求項１の考案は、ウェブカメラの外殻に取り付けて使用されるものであり、且つ、挟持部と枢軸部とより構成される略Ｕ字型を呈したホルダにおいて、前記挟持部は、該ホルダの左右両側にて対象に設けられ、幅がパソコンのパネルの厚さに合わせられたもので、該パネルの縁を挟持し、前記枢軸部は、前記略Ｕ字型を呈するホルダの二つの末端上に左右対称で設けられ、ウェブカメラの外殻左右面上に対称に設置される第一孔内にて挟持し、ホルダがウェブカメラを枢軸部で支持し、前記ホルダが枢軸部により前記ウェブカメラの外殻上に設置されて一体となり、挟持部によりパソコンのパネル上に挟持され、ウェブカメラが使用できる状態にし、前記枢軸部でウェブカメラのレンズの角度を調整することを特徴とするウェブカメラホルダの構造である。
【０００５】
請求項２の考案は、前記ホルダは金属線を湾曲させてなることを特徴とする請求項１記載のウェブカメラホルダの構造である。
請求項３の考案は、前記略Ｕ字型のホルダの底辺上には適当な厚さのカバー層が設けられることを特徴とする請求項１或いは請求項２記載のウェブカメラホルダの構造である。
請求項４の考案は、前記カバー層はプラスティック或いはラバーによるものとし、且つ射出成型方式により、前記ホルダと結合して一体となっていることを特徴とする請求項３記載のウェブカメラホルダの構造である。
請求項５の考案は、前記カバー層の断面は半円柱型を呈していることを特徴とする請求項３記載のウェブカメラホルダの構造である。
請求項６の考案は、前記略Ｕ字型を呈するホルダにおける枢軸部の金属線末端には、適当な厚さのカバー層を設けることを特徴とする請求項１或いは請求項２記載のウェブカメラホルダの構造である。
請求項７の考案は、前記カバー層はプラスティック或いはラバーによるものとし、且つ射出成型方式により該ホルダと結合して一体となっていることを特徴とする請求項６記載のウェブカメラホルダの構造である。
【０００６】
請求項８の考案は、前記第一孔は該ウェブカメラの外殻左右面の底面付近にて対称を成して設置されることを特徴とする請求項１記載のウェブカメラホルダの構造である。
請求項９の考案は、前記ウェブカメラの外殻左右面上には、第一孔より上方に延伸するガイド溝を設け、該ガイド溝が上方の第二孔に連結するようにし、該枢軸部を該第一或いは第二孔から外すと、該ガイド溝に沿って該第二或いは第一まで移動することを特徴とする請求項１或いは請求項８記載のウェブカメラホルダの構造である。
請求項１０の考案は、前記ウェブカメラの外殻左右面上には第一孔と、並びに該ガイド溝と第二孔が設置される一対の切れ込みとを設け、該Ｕ字型のホルダの左右両側を回転させた後、該切れ込み内に貼設されるよう、該切れ込みの外形は該Ｕ字型のホルダ左右両側の形状に対応させ、前記略Ｕ字型のホルダの底面が該外殻の底面上に貼設され、該ウェブカメラが収納された状態となることを特徴とする請求項９記載のウェブカメラホルダの構造である。
【０００７】
すなわち、本考案は、金属線を湾曲させて成型してＵ字型を呈するホルダを設け、該ホルダには挟持部と枢軸部とを設けるが、該挟持部はパソコンのパネル縁に挟持させるべく、該パネルの厚さに合わせたものとし、また該枢軸部は金属線の二つの末端左右にて対称を成すよう設け、ウェブカメラの外殻の左右面にて対称を成す第一孔内に設置し、こうしてレンズの角度を調整すべく該Ｕ字型とホルダと該外殻との間にて対称を成す枢軸となり、また該外殻上の第一孔上より延伸するガイド溝の相通する第二孔を設けるが、該ホルダの枢軸部が該金属線の弾力により該第一孔から外れると、該ガイド溝に沿って該第二孔に移動し、逆に該ホルダが該第二孔を外れると、該ガイド溝に沿って第一孔に移動し、こうして使用時及び未使用時にそれぞれ適当な位置にウェブカメラを移動させるものである。
【考案の効果】
【０００８】
本考案によれば、ウェブカメラホルダの簡単な構造により、パソコンのパネル上にウェブカメラが安定して定位され、またレンズの調整が容易になり、持ち運びにもスペースを取らない等、多数の効果がもたらされ、ウェブカメラホルダの実用性を高める。
【考案を実施するための最良の形態】
【０００９】
本考案のウェブカメラホルダの好適な実施例を図面に沿って説明する。
図１から図３に示すように、本考案の実施例のウェブカメラホルダ１には、ウェブカメラ２に合わせて使用するもので、該ホルダ１はＵ字型を呈しており、断面が円形の適当な金属線を湾曲させてなるものとし、且つ挟持部１０と枢軸部１１が設けられる。該挟持部１０は該U字型のホルダ１の左右両側にて対称を成し、該挟持部１０の幅はノートブック型等のパソコン３におけるパネルの厚さに合わせられたものであり（図５参照）、該ホルダが該挟持部１０によって該パソコン３のパネル上に挟設されるようにし、該ウェブカメラ２が図４から図６に示すような使用状態となるようにする。
該枢軸部１１においては、一対の略Ｕ字型のホルダ１の左右両側で対称を成し、該ウェブカメラ２の外殻２０の左右面２１上を挟設し、これに対応して設けられた第一孔２２内に設置される。こうして該Ｕ字型のホルダ１と該ウェブカメラ２との間にて対称を成して形成される枢軸を設けることにより、該ウェブカメラ２のレンズ２３の撮影角度が図５，６に示すようになるようにする。
【００１０】
該ホルダ１のＵ字型底部、或いは枢軸部１１の金属線末端上には、それぞれカバー層１２，１３を設け、該カバー層１２，１３はプラスティックやラバーが射出成型されてなるものとし、これにより該挟持部１０と枢軸部１１の挟持効果を高める。該カバー層１２は半円柱型とし、その平面１４は該パネルの縁に貼設されるものとする。
【００１１】
また、ウェブカメラ２には内部に回路等の重要な構造を被覆する外殻２０、レンズ２３、シャッターを切るキーボタン２４、ＵＳＢによりハブ等を外接するためのコード２５等が設けられ、該第一孔２２は該外殻２０左右面２１の底部に近い個所に対称に設置される。
該ウェブカメラ２の外殻２０の左右面２１は、更に該第一孔２２より上向きに延伸するガイド溝２６を設け、該ガイド溝２６を第二孔２７に相通させることにより、該ホルダ１の枢軸部１１（カバー層１３）が金属線の弾力により、該第一孔２２より外れ、該ガイド溝２６に沿って該第二孔２７上に移動する。図７，８に示すように、逆に操作すれば、該枢軸部１１が該第二孔２７を外れて該ガイド溝２６に沿って該第一孔２２に移動し、使用できる状態となる。
【００１２】
図１，８に示すように、該第一孔２２、ガイド溝２６、第二孔２７は該左右面２１上の比較的大きな切れ込み２８内に設置され、該切れ込み２８の形状は該ホルダ１のＵ字型の左右両側の形状に対応したものとし、該ホルダ１のＵ字型の左右両側が回転した後（図８の矢印参照）、該切れ込み２８内に貼設され、該ホルダ１の底面（カバー層１２）が該外殻２０の底面２９上に貼設され、該ウェブカメラ２を収納した状態は図７，８に示すように、スペースを取らず携帯に便利となる。
【図面の簡単な説明】
【００１３】
【図１】本考案の実施例を示す立体図である。
【図２】図１の立体分解図である。
【図３】図１の側面説明図である。
【図４】本考案の実施例をパソコンのパネル上にて使用した状態を示す図である。
【図５】図４の側面説明図である。
【図６】図５の局部拡大図である。
【図７】本考案の実施例を収納した状態を示す図である。
【図８】図６の操作状態を示す側面図である。
【符号の説明】
【００１４】
１  ホルダ
１０  挟持部
１１  枢軸部
１２，１３  カバー層
１４  平面
２  ウェブカメラ
２０  外殻
２１  左（右）面
２２  第一孔
２３  レンズ
２４  キーボタン
２５  コード
２６  ガイド溝
２７  第二孔
２８  切れ込み
２９  底面
３  パソコン
【図１】
0003113453.tif 000003
【図２】
0003113453.tif 000004
【図３】
0003113453.tif 000005
【図４】
0003113453.tif 000006
【図５】
0003113453.tif 000007
【図６】
0003113453.tif 000008
【図７】
0003113453.tif 000009
【図８】
0003113453.tif 000010